(57)【特許請求の範囲】
【請求項１】
テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、受信した映像及び音声信号のうち、音声信号のみをディスクへ記録させる機能を有する制御回路を備えたことを特徴とするディスク装置内蔵テレビジョン受像機。
【請求項２】
テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、受信した映像信号から映像を１フレーム分取り込んで静止画としてディスクに記録させる機能を有する制御回路を備えたことを特徴とするディスク装置内蔵テレビジョン受像機。
【請求項３】
テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、リアルタイム再生モード、等間隔間欠再生モード、設定タイムコード対応生成モードを含む再生映像表示タイミング選択設定機能を有する制御回路を備えたことを特徴とするディスク装置内蔵テレビジョン受像機。
【請求項４】
テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、ディスクに記録された音声信号を、新しい音声信号に書き換えさせる書き換え機能を有する制御回路を備えたことを特徴とするディスク装置内蔵テレビジョン受像機。
【請求項５】
テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、静止画または音声を追加挿入記録させる追加挿入機能を有する制御回路を備えたことを特徴とするディスク装置内蔵テレビジョン受像機。
【請求項６】
テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、タイマー回路、映像信号のフレーム差分検出回路、動作モードを選択するためのコントロール入力パネル、及びこのコントロール入力パネルからの指令に基づき各回路の動作モードを制御すると共に、上記フレーム差分検出回路からの差分判別信号を受け、フレーム差分に応じて上記各回路を制御する制御回路を備え、上記制御回路は、フレーム差分検出回路からのフレーム差分が所定レベルより高い時は、間欠録画モードの録画フレーム間の待ち状態中に、静止画または動画を挿入して録画する機能を有することを特徴とするディスク装置内蔵テレビジョン受像機。
【発明の詳細な説明】
【０００１】
【発明の属する技術分野】
この発明は、映像信号及び音声信号をディジタル処理し、テキストデータとともにディジタル記録、再生するときに、ユーザーの目的に応じて少ない記録容量で処理できるよう工夫されたディスク装置内蔵テレビジョン受像機に関するものである。
【０００２】
【従来の技術】
図６は従来のディジタル・ビデオ・ディスク（以下ＤＶＤと呼ぶ。なお本明細書におけるＤＶＤとは、記録、再生とも可能なディスクを指す）内蔵テレビジョン受像機を示すブロック図であり、図において、１はアンテナ、２はチューナ、３はチューナ２のＲＦ入力、４はチューナ２のＩＦ出力、５は映像中間周波数信号処理ＶＩＦ回路、６は音声中間周波数信号処理ＳＩＦ回路、７はＶＩＦ回路５の映像検波出力、８はＳＩＦ回路６の音声検波出力、９は外部からの映像信号入力、１０は映像検波出力７と映像信号入力９とを切り換える映像スイッチ、１１は映像検波出力７とＤＶＤ再生映像信号とを切り換える映像スイッチ、１２は外部からの音声入力、１３は音声検波出力８と音声入力１２とを切り換える音声スイッチ、１４は音声検波出力８とＤＶＤ再生音声出力とを切り換える音声スイッチ、１５は映像信号処理回路、１６はＣＲＴドライブ回路、１７はＣＲＴ、１８は同期分離回路、１９は同期分離回路１８からの水平同期信号出力、２０は水平偏向回路、２１は水平偏向出力、２２は水平偏向コイルで、水平偏向出力２１が水平偏向コイル２２に入力され水平偏向動作が行われる。２３は垂直同期信号出力、２４は垂直偏向回路、２５は垂直偏向出力、２６は垂直偏向コイルで、垂直偏向出力２５が垂直偏向コイル２６に入力され垂直偏向動作が行われる。
【０００３】
２７は映像信号Ａ／Ｄコンバータ回路、２８は映像信号符号化回路、２９は映像信号圧縮回路、３０は音声信号Ａ／Ｄコンバータ回路、３１は音声信号符号化回路、３２は音声信号圧縮回路、３３はエンコーダ回路、３４はメモリ回路、３５はＤＶＤドライブ回路で、映像信号圧縮回路２９と音声信号圧縮回路３２の出力はエンコーダ回路３３で制御されたメモリ回路３４に随時記憶され、ＤＶＤフォーマットの形式で読み出され、ＤＶＤドライブ回路３５に入力されて記録される。
【０００４】
３６はデコーダ回路で、ＤＶＤドライブ回路３５から再生信号が入力され、デコーダ回路３６で制御されたメモリ回路３４に随時記憶され、デコーダ回路３６でデコードされて、圧縮された映像信号と、圧縮された音声信号が出力される。
３７は映像信号伸長回路、３８は映像信号復号化回路、３９は映像信号Ｄ／Ａコンバータ回路で、映像信号Ｄ／Ａコンバータ回路３９の出力は映像スイッチ１１へ入力される。４０は音声信号伸長回路、４１は音声信号復号化回路、４２は音声信号Ｄ／Ａコンバータ回路で、音声信号Ｄ／Ａコンバータ回路４２の出力は音声スイッチ１４へ入力される。４３は音声信号処理回路で、音量、トーン調整などが行われる。４４は音声信号増幅回路、４５はスピーカーである。
【０００５】
４６はコントロール入力パネル、４７は制御回路、４８は制御信号である。コントロール入力パネル４６には、電源オン／オフキー４６ｉ、再生キー４６ｋ、停止キー４６ｈ、録画キー４６ｎ、ＦＦサーチキーｌ、ＲＥＷサーチキーｍ、入力切り換えキーｊ、及び図示しないカラーテレビの制御（チャンネル選局、音量、トーン調整）用キーがあり、それらのキー入力に従って、制御回路４７は各回路を制御信号４８により制御する。
【０００６】
次に動作について説明する。コントロール入力パネル４６内の入力切り換えキー４６ｊを操作すると、制御回路４７からの制御信号４８が各スイッチ１０乃至１４に加わり、映像検波出力７または映像入力９が映像スイッチ１０で、また、音声検波出力８または音声入力１２が音声スイッチ１３でそれぞれ選択され、それぞれの信号が、映像信号Ｄ／Ａコンバータ回路２７及び映像スイッチ１１へ、また音声信号Ｄ／Ａコンバータ回路３０及び音声スイッチ１４へ入力される。なお、映像スイッチ１０と音声スイッチ１３は連動して切り換わるようになされている。
【０００７】
映像スイッチ１０の出力信号は、映像信号Ａ／Ｄコンバータ回路２７でＡ／Ｄ変換され、映像信号符号化回路２８で符号化処理され、続いて、映像信号圧縮回路２９で圧縮処理され、エンコーダ回路３３に入力される。音声信号も同様に、音声信号Ａ／Ｄコンバータ回路３０、音声信号符号化回路３１、音声信号圧縮回路３２で処理され、エンコーダ回路３３に入力される。ここで、コントロール入力パネル４６内の録画キー４６ｎを入力すると、エンコーダ回路３３に入力された映像信号及び音声信号は、エンコーダ回路３３によって書き込み、読み出しのタイミング制御がなされたメモリ回路３４に随時記憶され、ＤＶＤフォーマット形式で読み出され、ＤＶＤドライブ回路３５に入力されて記録される。続いてコントロール入力パネル４６内の停止キー４６ｈを入力すると、上述の録画モードが解除され、録画は中止される。
【０００８】
次に、ＤＶＤドライブ回路３５に、録画済みのＤＶＤが挿入されている状態で、コントロール入力パネル４６内の再生キー４６ｋを入力すると、ＤＶＤドライブ回路３５の再生信号がデコーダ回路３６に入力され、録画時と逆のプロセスにより、映像信号は映像信号伸長回路３７で伸長処理され、次に、映像信号復号化回路３８で復号化処理され、映像信号Ｄ／Ａコンバータ回路３９でアナログ信号に変換される。再生された映像信号は映像スイッチ１１を通って映像信号処理回路１５と同期分離回路１８とに入力される。以下の処理はカラーテレビの処理で一般的であるので省略する。音声信号も同様であり、音声Ｄ／Ａコンバータ４２でアナログ信号に変換された音声信号は音声スイッチ１４を通って音声信号処理回路４３よりスピーカー４５に加えられる。
【０００９】
【発明が解決しようとする課題】
従来のディスク装置内蔵テレビジョン受像機は以上のように構成されているので、動画のみの録画しかできなかった。また、間欠録画や映像信号の内容に対応して圧縮率を変化させられないなどの問題点があった。
【００１０】
この発明は上記のような問題点を解消するためになされたもので、静止画記録や、間欠録画、無音部のスッキプ間欠再生、適応的圧縮率の可変を可能にしたディスク装置内蔵テレビジョン受像機を得ることを目的とする。
【００１１】
【課題を解決するための手段】
この発明に係るディスク装置内蔵テレビジョン受像機は、テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、受信した映像及び音声信号のうち、音声信号のみをディスクへ記録させる機能を有する制御回路を備えたものである。
【００１２】
また、テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、受信した映像信号から映像を１フレーム分取り込んで静止画としてディスクに記録させる機能を有する制御回路を備えたものである。
【００１３】
また、テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、リアルタイム再生モード、等間隔間欠再生モード、設定タイムコード対応生成モードを含む再生映像表示タイミング選択設定機能を有する制御回路を備えたものである。
【００１４】
また、テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、ディスクに記録された音声信号を、新しい音声信号に書き換えさせる書き換え機能を有する制御回路を備えたものである。
【００１５】
また、テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、動作モードを選択するためのコントロール入力パネル、及びこのコントロール入力パネルからの指令に基づき各回路の動作モードを制御すると共に、静止画または音声を追加挿入記録させる追加挿入機能を有する制御回路を備えたものである。
【００１６】
また、テレビジョン受像回路、このテレビジョン受像回路の映像検波信号をディジタル信号に変換するＡ／Ｄコンバータ回路、映像信号を符号化する映像信号符号化回路、映像信号を圧縮する映像信号圧縮回路、上記テレビジョン受像回路の音声検波信号をディジタル信号に変換するＡ／Ｄコンバータ回路、このＡ／Ｄコンバータ回路の出力を符号化する音声信号符号化回路、この音声信号符号化回路の出力のデータを圧縮する音声信号圧縮回路、上記映像信号圧縮回路の出力信号と上記音声信号圧縮回路の出力信号とを時分割多重してドライバーに記録信号として出力するエンコーダ回路、上記ドライバーからの再生信号を入力し、映像信号と音声信号に分離するデコーダ回路、映像信号を伸長する映像信号伸長回路、映像信号を復号化する映像信号復号化回路、ディジタル信号をアナログ信号に変換するＤ／Ａコンバータ回路、上記デコーダ回路からの圧縮された音声信号出力を伸長する音声信号伸長回路、この音声信号伸長回路の出力を復号化する音声信号復号化回路、この音声信号復号化回路の出力をアナログ信号に変換するＤ／Ａコンバータ回路、上記デコーダ回路及びエンコーダ回路に接続された記憶回路、タイマー回路、映像信号のフレーム差分検出回路、動作モードを選択するためのコントロール入力パネル、及びこのコントロール入力パネルからの指令に基づき各回路の動作モードを制御すると共に、上記フレーム差分検出回路からの差分判別信号を受け、フレーム差分に応じて上記各回路を制御する制御回路を備え、上記制御回路は、フレーム差分検出回路からのフレーム差分が所定レベルより高い時は、間欠録画モードの録画フレーム間の待ち状態中に、静止画または動画を挿入して録画する機能を有するものである。
【００１７】
また、上記構成において、制御回路は、フレーム差分検出回路からのフレーム差分が所定レベルより高いときは、間欠録画モードの録画フレーム間の待ち状態中に、静止画または動画を挿入して録画する機能を有するものである。
【００１８】
【発明の実施の形態】
実施の形態１．
以下、従来の技術と比較して特に異なる点に的をあててこの発明の実施の形態を図にもとづいて説明する。図１はこの発明の実施の形態１に係るディスク装置内蔵テレビジョン受像機を示すブロック図で、図において、４６はコントロール入力パネル、４６ａは音声記録スタートキー、４６ｂは１フレームの静止画記録キー、４６ｃはメニューキー、４６ｄはカーソルキー、４６ｅはエンタキー、４６ｈは停止キー、４６ｆは書き換えキー、４６ｇは挿入追加キーである。５６は映像処理回路１５の出力側に挿入されたメニュー表示用のキャラクタージェネレーター回路であり、制御回路４７からの信号５５により動作する。その他の構成は図５と同様なので説明を省略する。
【００１９】
いま、コントロール入力パネル４６のメニューキー４６ｃを押すと、制御回路４７からの信号５５がキャラクタージェネレーター回路５６に加わり、ＣＲＴ１７には図２に示すメインメニューが、ＣＲＴ画面に重畳してまたはブルーバック画面上に表示される。メインメニューの中から、新規記録モードを、さらにサブメニュー（図示せず）の中から静止画録画モードを選択し、音声記録スタートキー４６ａを入力すると、制御回路４７の制御信号４８がエンコーダ回路３３に加わり、音声のみの記録がスタートする。音声が記録されている状態で静止画記録キー４６ｂを入力すると、キー入力された瞬間にテレビ画面に表示されていた映像（１フレーム分）がＤＶＤドライブ回路３５に加わり記録される。しばらくして、再び静止画記録キー４６ｂを入力すると、同様にキー入力された瞬間にテレビ画面に表示されていた映像（１フレーム分）がＤＶＤドライブ回路３５に加わり記録される。つまり静止画記録キー４６ｂは１フレームに相当する映像信号を記録するコマンドキーである。
【００２０】
メニューキー４６ｃでメインメニューを表示し、再生映像表示タイミング設定モードを選択すると、サブメニューでリアルタイム再生モード、等間隔間欠再生モード、設定タイムコード対応再生モードが選べる。リアルタイム再生は、記録時にユーザーが静止画記録キー４６ｂを押したのと同じタイミング（音声との相対的タイミングの意）で静止画が順次に再生されるモードである。等間隔再生モードとは、音声記録スタートキー４６ａを入力してから停止キー４６ｈを押すまでの時間ｔを、静止画記録キー４６ｂを押した回数ｎ、即ち静止画の枚数ｎで割ったｔ／ｎ時間間隔で間欠再生するモードである（ただしタイトル静止画がある場合にはｔ／（ｎ＋１）時間間隔で間欠再生する）。設定タイムコード対応再生モードとは、ユーザーが記録した静止画Ｓ１、Ｓ２、・・・Ｓｎの各々に対して音声記録スタートタイミングを０秒としたときの相対的タイムコードを予め入力しておくモードであり、上記各モードでの再生が、制御回路４７からの制御信号４８により選択可能である。
つまり静止画記録キー４６ｂを押したと同じタイミングインターバルで静止画再生するか、静止画記録キー４６ｂの記録タイミングとは関係なく等間隔で静止画を順次に再生するか、ユーザの好みのタイムインターバル（時間間隔）で再生するか、いずれの場合も設定可能で、スポーツの動きの解析、動き方のストロボ的解析等にユーザをして充分に楽しませるものである。特に最近メモリを用いたプレイバックテレビ等も発表されはじめたが、本願によれば記録容量がメモリに比較して大容量であるので、記録時間を気にしないで任意のスピードの静止画ストロボ再生を堪能させるものである。
【００２１】
実施の形態２．
図１において、コントロール入力パネル４６内の４６ｆは書き換えキー、４６ｇは挿入追加キーである。メニューキー４６ｃでメインメニューを表示したメインメニューの中の編集モードを選択し、フレームサーチ、アドレスサーチ（従来機能）により、書き換え、追加挿入したい場所を選択する。音声のみ書き換え（吹き替え）たい場合は、書き換えキー４６ｆを押してから希望する音楽ソースなどが始まるタイミングで音声記録スタートキー４６ａを押せば、音声書き換えが開始される。停止キー４６ｈを押すと、音声書き換えが終了する。なお、書き換えキー４６ｆ、音声記録スタートキー４６ａなどを全てメニュー画面の中で、例えばアイコンなどによってマウスで入力することも可能である。つまりユーザの好みに応じて音声のアフレコ（アフターレコーディング）を可能とするもので編
集能力を増強するものである。
【００２２】
書き換えたい静止画を選択し、書き換えキー４６ｆを押してから、希望する映像が入力された状態で（タイミングで）静止画記録キー４６ｂを押せば、書き換えが完了する。書き換えキー４６ｆを押す前は、映像スイッチ１１は映像信号Ｄ／Ａコンバータ回路３９の出力側に切り換わっているが、書き換えキー４６ｆが押された後は映像スイッチ１０の出力側へ切り換わっている。静止画を挿入記録したい場合は、上述と同様に、編集モードで挿入したい位置を選択し、挿入追加キー４６ｇを押してから、挿入したい映像が入力された状態（タイミング）で静止画記録キー４６ｂを押すと、希望した映像が挿入記録される。音声を挿入記録したい場合も上述と同様である。つまり通常のアフレコとは音声のみを指すものであるが、本願はそれに代えて静止画の後編集を可能にするもので、本願の装置を２台用いれば、容易に先の希望とする静止画が得られるので、このような静止画のアフレコ編集を可能とするものである。
【００２３】
実施の形態３．
図３において、４９は制御回路４７からのキャラクターコード出力、５０はキャラクタージェネレータ回路、５１は映像スイッチである。例えば、メニューキー４６ｃでメインメニュー中のタイトル画作成モードを選択し、コントロール入力パネル４６からカーソルキー４６ｄで文字パターンまたは記号パターンを選択して入力すると、制御回路４７から、キャラクターコード出力４９が出力され、キャラクタージェネレータ５０からタイトル画としてのパターンの映像が出力される。このとき映像スイッチ５１は、キャラクタージェネレータ５０出力側に切り換わっている。
【００２４】
これにより、音声のみを記録しておいて、後からタイトル画を付加したり、予めタイトル画を作っておいて、後で音声を付加することができる。また、映像スイッチ５１をファーストスイッチ（Ｆａｓｔ Ｓｗｉｔｃｈ）にすることより、映像スイッチ１０によって選択された入力映像信号にタイトル文字を重畳することも可能である。
【００２５】
実施の形態４．
図４において、５２はタイマー回路、５３は無音声判別回路である。例えば、メニューキー４６ｃで５秒の間欠記録モードを選択しておいて、記録を開始するとき、タイマー回路５２は５秒おきに間欠記録するためのタイミングの基準となる信号を発生するための回路で、制御回路４７が各回路に制御信号４８を出力するタイミングの基準となる。
【００２６】
また、例えば、メニューキー４６ｃで５秒の間欠再生モードを選択しておいて、再生を開始すると、５秒間欠記録モードと同様に、タイマー回路５２がタイミングの基準となって制御回路４７が動作する。間欠再生モードにおいては、無音声判別回路５３が無音声期間を判別し、無音声判別回路５３の出力を制御回路４７が受けて無音声期間を延ばすように制御出力４８を出すことにより、間欠映像と、無音声期間がスキップされた音声とが再生される。従って、多忙なユーザーにとって時間を有効に活用できる。
【００２７】
実施の形態５．
図５において、５４はフレーム差分検出回路である。例えば、メニューキー４６ｃでフレーム差分連動間欠記録モードを選択しておくと、記録中、フレーム差分検出回路５４のフレーム差分検出出力レベルがある値より小さいとき（静止画に近いとき）は、自動的に例えば１秒毎の間欠録画モードとなり（ただし音声は連続記録）、反対にフレーム差分検出レベルがある値より大きいときは、自動的に通常記録モード（リアルタイム連続記録）になる。また、フレーム差分検出出力レベルに対応して、圧縮率のみ変化させることもできる。これは、差分検出回路５４からのフレーム差分が所定レベルを超えると圧縮回路２９、３２の圧縮率を下げ、所定レベル以下のときは圧縮率を上げるような制御信号４８を制御回路４７から出すことにより行う。つまり動き適応可変ビットレート記録方式モードに間欠録画モードが加わるので、従来以上に長時間記録再生が可能となり、少ない記録容量で家庭内における娯楽用とともに更に監視用記録再生装置としての活用も具体化するものである。
【００２８】
また、タイマー回路５２とフレーム差分検出回路５４を組み合わせて付加することにより、フレーム差分検出回路５４のフレーム差分検出レベルが小さいとき（静止画に近いとき）は、タイマー回路５２からのタイミングを基準として動作する間欠記録モードとし、フレーム差分検出出力レベルがあるレベルより大きいときは、そのレベルに対応して圧縮率を変化させて記録することができる。また、フレーム差分検出回路５４の出力を制御回路４７に加えることにより、差分検出回路５４からのフレーム差分が所定レベルより低いときは、間欠録画しようとする１フレーム分の録画をスキップして録画することもできる。さらにまた、フレーム差分検出回路５４からのフレーム差分が所定レベルより高いときは、間欠録画モードの録画フレーム間の待ち状態中に、静止画または動画を挿入することもできる。これにより、制限された記憶容量を有効に使用することができる。
なお、エンターキー４６ｅについては何かを選択して決定した時に用いるキーであり、これは通常のパソコンと同じ要領で用いるものである。
【図面の簡単な説明】
【図１】  この発明の実施の形態１に係るディスク装置内蔵テレビジョン受像機を示すブロック図である。
【図２】  実施の形態１の動作時のメインメニューを示す図である。
【図３】  この発明の実施の形態３に係るディスク装置内蔵テレビジョン受像機を示すブロック図である。
【図４】  この発明の実施の形態４に係るディスク装置内蔵テレビジョン受像機を示すブロック図である。
【図５】  この発明の実施の形態５に係るディスク装置内蔵テレビジョン受像機を示すブロック図である。
【図６】  従来のディスク装置内蔵テレビジョン受像機を示すブロック図である。
【符号の説明】
１  アンテナ、２  チューナ、５ ＶＩＦ回路、６  ＳＩＦ回路、１０、１１  映像スイッチ、１３、１４ 音声スイッチ、２７  映像信号Ａ／Ｄコンバータ回路、２８ 映像信号符号化回路、２９  映像信号圧縮回路、３０  音声信号Ａ／Ｄコンバータ回路、３１ 音声信号符号化回路、３２  音声信号圧縮回路、３３  エンコーダ回路、３４ メモリ回路、３５  ＤＶＤドライブ回路、３６  デコーダ回路、３７映像信号伸長回路、３８ 映像信号復号化回路、３９  映像信号Ｄ／Ａコンバータ回路、４０ 音声信号伸長回路、４１  音声信号復号化回路、４２  音声信号Ｄ／Ａコンバータ回路、４６ コントロール入力パネル、４６ａ  音声記録スタートキー、４６ｂ  静止画記録キー、４６ｃメニューキー、４６ｄ カーソルキー、４６ｅ  エンターキー、４６ｆ  書き換えキー、４６ｇ 挿入追加キー、４６ｈ  停止キー、４６ｋ  再生キー、４６ｎ 録画キー、４７  制御回路、５０  キャラクタジェネレータ回路、５１ 映像スイッチ、５２  タイマー回路、５３  無音声判別回路、５４ フレーム差分検出回路、５６  メニュー表示用キャラクタジェネレータ回路。
【図１】
0003644650.tif 000002
【図２】
0003644650.tif 000003
【図３】
0003644650.tif 000004
【図４】
0003644650.tif 000005
【図５】
0003644650.tif 000006
【図６】
0003644650.tif 000007